(57)【特許請求の範囲】
【請求項１】
互いに対向しかつ平行に配置された金属製厚板である上部取付プレート及び下部取付プレートと、該上部及び下部取付プレートの間に該上部及び下部取付プレートに平行に配置された金属製薄板である複数の中間プレートと、該上部及び下部取付プレート間に充填された未加硫ゴムと、該上部及び下部取付プレートの表面に貼り付けられた未加硫薄肉ゴムとを設けてなる未加硫ゴム成形品を、互いに対向しかつ平行な平面を有する上型及び下型により挟持すると共に、前記未加硫ゴム成形品の側面をわずかに隙間を設けて枠形状の中型で囲い、前記上型及び下型により前記未加硫ゴム成形品に所定の押圧力を加えた状態で前記未加硫ゴム及び未加硫薄肉ゴムを加硫成形させるゴム支承体の製造方法において、
前記上型及び下型と、該上部及び下部取付プレートの表面に貼り付けられた未加硫薄肉ゴムとの間にそれぞれ可撓性の金属薄板を介在させて加硫成形を行うようにしたことを特徴とするゴム支承体の製造方法。
【請求項２】
前記請求項１に記載のゴム支承体の製造方法において、前記上型と前記未加硫薄肉ゴムとの間に介在させる前記金属薄板が、少なくとも前記中型の上端面上まで延設されていることを特徴とするゴム支承体の製造方法。
【発明の詳細な説明】
【０００１】
【発明の属する技術分野】
本発明は、橋梁、建築物等に用いられるゴム支承体の製造方法に関する。
【０００２】
【従来の技術】
この種のゴム支承体としては、例えば図１に示すようなものが知られている。このゴム支承体１０は、通常４００ｍｍ×４００ｍｍ×５０ｍｍ以上の大きさの直方体厚板形状であり、互いに対向しかつ平行に配置された上側表面中央に固定用凹部１１ａを有する金属製厚板の上部取付プレート１１と、下側表面中央に固定用凹部１３ａを有する金属製厚板の下部取付プレート１３とを設けている。上部取付プレート１１と下部取付プレート１３との間には、金属製薄板からなる複数の中間プレート１２が互いに平行かつ略等間隔で配置されており、両取付プレート１１，１３の間にはゴムが充填されてゴム層１４をなしており、両取付プレートの表面には取付プレート１１，１３の腐食防止のためのゴム薄板１５，１８が設けられている。
【０００３】
このゴム支承体１０は、図２に示すように、下側取付プレート１３が橋脚Ｍ側に取り付けられた金属製厚板のベースプレート４１上に載置され、固定用凹部１３ａがベースプレート４１中央に設けた剪断キー４２に嵌め合わされている。また、上側取付プレート１１上側表面には、橋桁Ｎ側に取り付けられた金属製厚板のソールプレート４３が載置され、固定用凹部１１ａにはソールプレート４３中央に設けた剪断キー４４が嵌め合わされている。これにより、ゴム支承体１０は、橋脚Ｍと橋桁Ｎとの間に介装されて、温度変化による橋桁Ｎの伸縮を吸収するとともに、橋桁Ｎから伝えられる振動を緩和させるようになっている。
【０００４】
従来、このゴム支承体１０の製造方法としては、図４に示すように、まず、互いに対向しかつ平行に配置された上部取付プレート１１と下部取付プレート１３との間に、中間プレート１２と未加硫ゴムであるゴム板１７とを交互に積層し、かつ両取付プレート１１，１３の表面の固定用凹部以外の部分に未加硫のゴム薄板１５ａ，１８ａを接着することにより、未加硫ゴム積層品（成形品）１０ａが形成される。この未加硫ゴム積層品１０ａを、下型１上にその挿入凸部２に下部取付プレート１３の固定用凹部１３ａを嵌め合わせて載置し、下型１に立設した中型２によってその周囲をわずかの隙間を介して囲み、さらに上型４をその挿入凸部５を上部取付プレート１１の固定用凹部１１ａに嵌め合わせて上部取付プレート１１上に重ね合わせることにより、上型４及び下型１から未加硫ゴム積層品１０ａに所定の押圧力が加えられる。その後、未加硫ゴム積層品１０ａに押圧力が加えられた状態で、金型側から未加硫ゴム積層品１０ａに熱が加えられることにより、未加硫のゴム板１７及びゴム薄板１５ａ，１８ａの加硫成形が行われ、ゴム支承体１０が形成される。
【０００５】
【発明が解決しようとする課題】
ところで、上記ゴム支承体１０は、加硫時に、金型によって押圧力が加えられるため、特に上型４及び下型１と、上部及び下部取付プレート１１，１３の表面のゴム薄板１５ａ，１８ａとがくっついて容易には剥がれ難くなり、しかもゴム支承体１０が大型の重量物であるため、金型からの脱型が非常に困難になる。特に１０００ｍｍ×１０００ｍｍ×３００ｍｍ以上の大型のものでは、脱型作業に非常に危険が伴うことになる。これに対し、上型４及び下型１の表面に離型剤を塗布することができるが、離型剤を用いることにより鉄板とゴムの接着性に悪影響を与えるという問題がある。
【０００６】
また、上型４及び下型１の端部からへら等で抉りながら成形品を脱型させる方法も行われているが、これによれば、成形品や金型に傷が付きやすく、成形品の品質の低下が問題となるとともに、脱型作業に時間を要しそのために金型が冷却して加硫作業の効率が低下するという問題がある。さらに、金型の表面にテフロン加工を施したり、テフロン等のフィルムやシートを貼り付ける方法もあるが、これらの保護による耐久性も十分ではなくまたコストも高価になる。
【０００７】
本発明は上記した問題を解決しようとするもので、ゴム支承体の加硫成形後の金型からの脱型を、ゴム支承体表面及び金型表面に傷を付けることなくかつ短時間に容易に行うことができるゴム支承体の製造方法を提供することを目的とする。
【０００８】
【課題を解決するための手段及び発明の効果】
上記目的を達成するために、上記請求項１に記載された発明の構成上の特徴は、互いに対向しかつ平行に配置された金属製厚板である上部取付プレート及び下部取付プレートと、上部及び下部取付プレートの間に上部及び下部取付プレートに平行に配置された金属製薄板である複数の中間プレートと、上部及び下部取付プレート間に充填された未加硫ゴムと、上部及び下部取付プレートの表面に貼り付けられた未加硫薄肉ゴムとを設けてなる未加硫ゴム成形品を、互いに対向しかつ平行な平面を有する上型及び下型により挟持すると共に、未加硫ゴム成形品の側面をわずかに隙間を設けて枠形状の中型で囲い、上型及び下型により未加硫ゴム成形品に所定の押圧力を加えた状態で未加硫ゴム及び未加硫薄肉ゴムを加硫成形させるゴム支承体の製造方法において、上型及び下型と、上部及び下部取付プレートの表面に貼り付けられた未加硫薄肉ゴムとの間にそれぞれ可撓性の金属薄板を介在させて加硫成形を行うようにしたことにある。なお、可撓性の金属薄板としては、アルミニウム、ステンレス、鉄等が用いられる。
【０００９】
上記のように請求項１に係る発明を構成したことにより、上型及び下型と金属薄板とはくっつくことがなく、また金属薄板は可撓性があるため、四隅の一端部よりめくるようにすれば、上部及び下部取付プレートに接着されたゴム薄板から容易に剥離させることができるので、金型からの成形品の脱型を短時間で容易に行うことができる。
【００１０】
その結果、上記請求項１の発明によれば、ゴム支承体及び上型下型のいずれにも傷を付けることがないので、ゴム支承体の品質を良好に維持できると共に金型の寿命を長くすることができる。また、脱型を短時間で容易に行うことができるので、加硫成形の作業性が高められると共に、金型の温度低下も抑制できるためさらに作業性を高めることができる。また、金属薄板は安価であり、製造コストの上昇もほとんど無い。
【００１１】
また、上記請求項２に記載された発明の構成上の特徴は、前記請求項１に記載のゴム支承体の製造方法において、上型と未加硫薄肉ゴムとの間に介在させる金属薄板が、少なくとも中型の上端面上まで延設されていることにある。
上記のように請求項２に係る発明を構成したことにより、上記請求項１の効果に加えて、中型に対する金属薄板の位置決めを容易にかつ正確に行うことができ、上型と中型の型合わせ時に、上型と金属薄板との不適性な重なりを防止できる。
【００１２】
【発明の実施の形態】
以下、本発明の実施形態について図面を用いて説明すると、図３は同実施形態に係る図１に示したゴム支承体１０の製造方法を断面図により概略的に示したものである。
まず、図３に示すように、上部取付プレート１１と下部取付プレート１３との間に、中間プレート１２及び未加硫ゴムからなるゴム板１７が交互に積層され、さらに上部取付プレート１１上側表面及び下部取付プレート１３下側表面の固定用凹部１１ａ，１３ａを除いた平面にそれぞれ未加硫のゴム薄板１５ａ，１８ａが接着剤で貼り付けられることにより、未加硫ゴム積層品（成形品）１０ａが形成される。なお、各未加硫のゴム１５ａ，１８ａ，１７の形成については、射出成形により同時に行うこともできる。
【００１３】
未加硫ゴム積層品１０ａの加硫成形を行うために用いられる金型３０は、図３に示すように、それぞれに分割可能な上型３１、中型３３及び下型３５を備えている。上型３１は略四角形の金属製の偏平箱型であり、その凹部３１ａ内には平板状で下側表面中央に下方に突出した挿入凸部３２ａを有する上型スペーサ３２が装着固定されている。挿入凸部３２ａは、上記上部取付プレート１１の固定用凹部１１ａと対応した位置に設けられている。なお、上型スペーサ３２は製品寸法の違いを調節するために上型３１と一体で用いられるものである。
【００１４】
下型３５は略四角形の金属製の偏平箱型である。下型３５の凹部３５ａには、四角形の金属製枠体である中型３３が、その下側部分が凹部３５ａの側壁に密着した状態で載置されている。さらに、中型３３と同一高さの四角形の枠体である中型スペーサ３４が、中型３３内側面に密着して配設されている。そして、凹部３５ａの底面上には、中型スペーサ３４の内側面に密着して板状の下型スペーサ３６が載置されている。下型スペーサ３６は、上側表面中央に突出した上記下部取付プレート１３の固定用凹部１３ａと対応した挿入凸部３６ａを有している。なお、中型スペーサ３４及び下型スペーサ３６も、上型スペーサ３２と同様の機能を果たすものである。下型スペーサ３６の挿入凸部３６ａを除く表面には、図３に示すように、可撓性の金属薄板２１が敷設されている。金属薄板の材質としては、ステンレス、鉄、アルミニウム等が用いられ、厚さは０．６〜１．２ｍｍ程度が可撓性を確保する上で好ましい。
【００１５】
そして、中型スペーサ３４と下型スペーサ３６によって囲まれた内部に、上記未加硫ゴム積層品１０ａが、下部取付プレート１３の固定用凹部１３ａを下型スペーサ３６の挿入凸部３６ａを嵌め合わせて装着される。この未加硫ゴム積層品１０ａの上面側にも、図３に示すように、固定用凹部１１ａを除いて、可撓性の金属薄板２２が配設されている。金属薄板２２は、中型３３の上端面上まで延設されており、そのため、中型３３に対する金属薄板２２の位置決めを容易にかつ正確に行うことができ、上型３１と中型３３の型合わせ時に、上型３１と金属薄板２２との不適性な重なりを防止できる。
【００１６】
未加硫ゴム積層品１０ａを下型３５及び中型３３内部に装着した後、上型３１が、上型スペーサ３２の挿入凸部３２ａを上部取付プレート１１の固定用凹部１１ａに嵌め合わせて型合わせされ、上型３１により未加硫ゴム積層品１０ａに押圧力が加えられる。そして、金型３０内部において、未加硫ゴム積層品１０ａが上型３１及び下型３５により押圧された状態で、金型３０を加熱することにより、金型３０を通して未加硫ゴム積層品１０ａに熱が伝達され、加硫成形が行われる。これにより、ゴム薄板１５ａ，１８ａ及びゴム板１７は加硫成形されてゴム層１４及びゴム薄板１５，１８を有するゴム支承体１０が形成される。
【００１７】
加硫成形後に、ゴム支承体１０は金型３０から取り出されるが、上型３１及び下型３５と金属薄板２１，２２とはくっつくことがなく、また金属薄板２１，２２は可撓性があるので、四隅の一端部よりめくるようにすれば、上部及び下部取付プレート１１，１３に加硫成形されたゴム薄板１５，１８から容易に剥離させることができるので、金型３０からのゴム支承体１０成形品の脱型を容易に行うことができる。
【００１８】
以上に説明したように、本実施形態においては、金型３０からの成形品の脱型を容易に行うことができるため、ゴム支承体１０及び金型３０のいずれにも傷を付けることがないので、製品の品質を維持できると共に金型３０の寿命を長くすることができる。また、脱型を短時間に容易に行うことができるので、作業性が高められると共に、金型３０の温度低下も抑制できるためさらに作業性を高めることができる。また、金属薄板２１，２２は安価であり、製造コストの上昇もほとんど無い。
【００１９】
なお、上記実施形態において示したゴム支承体１０の具体的構造については、これに限るものでない。
【図面の簡単な説明】
【図１】本発明の一実施形態に係るゴム支承体を概略的に示す断面図である。
【図２】同ゴム支承体を橋梁に取り付けた状態を概略的に示す部分断面図である。
【図３】未加硫ゴム積層品を金型に装着する過程を示す断面図である。
【図４】従来例である未加硫ゴム積層品を金型に装着する過程を示す断面図である。
【符号の説明】
１０…ゴム支承体、１０ａ…未加硫ゴム積層品（成形品）、１１…上部取付プレート、１１ａ…固定用凹部、１２…中間プレート、１３…下部取付プレート、１３ａ…固定用凹部、１４…ゴム層、１５…ゴム薄板、１７…ゴム板、１８…ゴム薄板、２１，２２…金属薄板、３０…金型、３１…上型、３２…上型スペーサ、３２ａ…挿入凸部、３３…中型、３４…中型スペーサ、３５…下型、３５ａ…凹部、３６…下型スペーサ、３６ａ…挿入凸部。
【図１】
0003651236.tif 000002
【図２】
0003651236.tif 000003
【図３】
0003651236.tif 000004
【図４】
0003651236.tif 000005